(57)【要約】コンテンツ製作者は、予め、印刷制御用の情報を映像等のコンテンツに対応付けて配信を行なう。このコンテンツの配信を受けたデジタル放送受信装置（２０）は、放送受信部（２１）を介してデータ復号部（２２）によってコンテンツが復号される。制御部（２６）は、復号されたコンテンツに対応付けられて登録されている印刷制御情報を判別し、この印刷制御情報に応じて画像処理を行なって、印刷用のデータを印刷装置（３０）に送信する。印刷装置（３０）は、受信した印刷用データに基づいて印刷を行なう。
2003084222.tif 000002
【特許請求の範囲】
【請求項１】
印刷装置に接続されて用いられる印刷制御装置であって、
コンテンツが格納されたコンテンツファイルと印刷制御情報とを含む放送信号を受信する受信手段と、
受信されたコンテンツファイルの少なくとも一部を印刷する旨の印刷指示を取得する印刷指示取得手段と、
前記印刷指示が取得され、かつ、前記印刷制御情報が所定の条件を満たす場合に、印刷指示された印刷対象を前記印刷装置に出力する出力手段と
を備えることを特徴とする印刷制御装置。
【請求項２】
前記印刷制御装置には、さらに、表示装置が接続され、
前記放送信号には、さらに、コンテンツに関する情報が格納されたコンテンツ制御ファイルが含まれ、
前記印刷制御装置は、さらに、前記受信手段によって受信された放送信号に含まれるコンテンツ制御ファイルに基づいて、前記コンテンツを表示する信号を前記表示装置に出力する表示制御手段を備える
ことを特徴とする請求の範囲１記載の印刷制御装置。
【請求項３】
前記印刷制御情報が前記コンテンツファイルに対応づけられている
ことを特徴とする請求の範囲１又は２記載の印刷制御装置。
【請求項４】
前記放送信号は、さらに、映像データを含み、
前記印刷制御情報が、前記コンテンツ制御ファイルと前記コンテンツファイルとの組である番組に対応づけられている
ことを特徴とする請求の範囲１又は２記載の印刷制御装置。
【請求項５】
前記コンテンツファイルは、前記映像データと関係づけられている番組連動コンテンツファイルであって、
前記印刷制御装置は、さらに、
前記受信手段で受信された複数の放送信号の中から一の放送信号を選択し、選択した放送信号から映像データを抽出する選択手段を備え、
前記印刷指示取得手段は、前記コンテンツファイル及び前記映像データの少なくても一部を印刷対象とする印刷指示を取得し、
前記印刷制御情報が前記映像データに対応づけられている
ことを特徴とする請求の範囲４記載の印刷制御装置。
【請求項６】
前記印刷制御装置は、さらに、
前記表示装置を備える
ことを特徴とする請求の範囲１又は２記載の印刷制御装置。
【請求項７】
前記印刷制御装置は、さらに、
前記印刷装置と前記表示装置とを備える
ことを特徴とする請求の範囲１又は２記載の印刷制御装置。
【請求項８】
前記出力手段は、前記印刷指示が取得され、かつ、前記印刷制御情報が所定の値の場合に、前記印刷装置に、画質を劣化させて印刷させる
ことを特徴とする請求の範囲７記載の印刷制御装置。
【請求項９】
前記画質劣化が印刷画面の解像度を低下させるものである
ことを特徴とする請求の範囲８記載の印刷制御装置。
【請求項１０】
前記画質劣化が印刷画面と他の画面との合成によるもの、又は、印刷画面の色情報の変更によるものである
ことを特徴とする請求の範囲８記載の印刷制御装置。
【請求項１１】
前記印刷制御装置は、さらに、記憶媒体から個別印刷許可情報を読み取る読取手段を備え、
前記出力手段は、前記印刷指示が取得され、かつ、前記印刷制御情報が第１の所定の条件を満たし、かつ、前記個別印刷許可情報が第２の所定の条件を満たす場合に、前記印刷対象を前記印刷装置に出力する
ことを特徴とする請求の範囲１記載の印刷制御装置。
【請求項１２】
前記印刷制御装置は、さらに、
外部からの指示を受信する通信制御手段と、
前記指示に応じて前記記憶媒体の個別印刷許可情報の内容を更新する更新手段と、
外部に対して情報を発信する発信制御手段と、
利用者からの印刷指示を取得する指示取得手段とを備え、
前記更新手段は、前記印刷指示に応じて前記記憶媒体の個別印刷許可情報を更新する
ことを特徴とする請求の範囲１１記載の印刷制御装置。
【請求項１３】
前記印刷制御情報が、前記コンテンツファイル内に記述されている
ことを特徴とする請求の範囲１又は２記載の印刷制御装置。
【請求項１４】
前記印刷制御情報が記述されている前記コンテンツファイルは、ＢＭＬ形式で記述されている
ことを特徴とする請求の範囲１３記載の印刷制御装置。
【請求項１５】
前記印刷制御情報が記述されている前記コンテンツファイルは、コンテンツのトップページである
ことを特徴とする請求の範囲１３記載の印刷制御装置。
【請求項１６】
前記印刷制御装置は、さらに、前記印刷制御情報が所定の条件を満たす場合に、ユーザに提示する指示ボタンの表示を変更する表示変更手段を備える
ことを特徴とする請求の範囲１記載の印刷制御装置。
【請求項１７】
前記放送信号には、さらに、印刷コンテンツ販売サイトのネットワーク上のアドレスを示すアドレス情報が含まれ、
前記印刷制御装置は、さらに、前記印刷指示が取得され、かつ、前記印刷制御情報が印刷禁止を示す場合に、前記アドレス情報に基づいて、前記印刷コンテンツ販売サイトから印刷物を入手する印刷物入手手段を備える
ことを特徴とする請求の範囲１記載の印刷制御装置。
【請求項１８】
印刷装置に接続されて用いられる装置のための印刷制御方法であって、
コンテンツが格納されたコンテンツファイルと印刷制御情報とを含む放送信号を受信する受信ステップと、
受信されたコンテンツファイルの少なくとも一部を印刷する旨の印刷指示を取得する印刷指示取得ステップと、
前記印刷指示が取得され、かつ、前記印刷制御情報が所定の条件を満たす場合に、印刷指示された印刷対象を前記印刷装置に出力する出力ステップと
含むことを特徴とする印刷制御方法。
【請求項１９】
前記印刷制御方法は、さらに、記憶媒体から個別印刷許可情報を読み取る読取ステップを含み、
前記出力ステップでは、前記印刷指示が取得され、かつ、前記印刷制御情報が第１の所定の条件を満たし、かつ、前記個別印刷許可情報が第２の所定の条件を満たす場合に、前記印刷対象を前記印刷装置に出力する
ことを特徴とする請求の範囲１８記載の印刷制御方法。
【請求項２０】
前記放送信号には、さらに、印刷コンテンツ販売サイトのネットワーク上のアドレスを示すアドレス情報が含まれ、
前記印刷制御方法は、さらに、前記印刷指示が取得され、かつ、前記印刷制御情報が印刷禁止を示す場合に、前記アドレス情報に基づいて、前記印刷コンテンツ販売サイトから印刷物を入手する印刷物入手ステップを含む
ことを特徴とする請求の範囲１８記載の印刷制御方法。
【請求項２１】
印刷装置に接続されて用いられる印刷制御装置のためのプログラムであって、
コンテンツが格納されたコンテンツファイルと印刷制御情報とを含む放送信号を受信する受信ステップと、
受信されたコンテンツファイルの少なくとも一部を印刷する旨の印刷指示を取得する印刷指示取得ステップと、
前記印刷指示が取得され、かつ、前記印刷制御情報が所定の条件を満たす場合に、印刷指示された印刷対象を前記印刷装置に出力する出力ステップと
含むことを特徴とするプログラム。
【請求項２２】
前記プログラムは、さらに、記憶媒体から個別印刷許可情報を読み取る読取ステップを含み、
前記出力ステップでは、前記印刷指示が取得され、かつ、前記印刷制御情報が第１の所定の条件を満たし、かつ、前記個別印刷許可情報が第２の所定の条件を満たす場合に、前記印刷対象を前記印刷装置に出力する
ことを特徴とする請求の範囲２１記載のプログラム。
【請求項２３】
前記放送信号には、さらに、印刷コンテンツ販売サイトのネットワーク上のアドレスを示すアドレス情報が含まれ、
前記プログラムは、さらに、前記印刷指示が取得され、かつ、前記印刷制御情報が印刷禁止を示す場合に、前記アドレス情報に基づいて、前記印刷コンテンツ販売サイトから印刷物を入手する印刷物入手ステップを含む
ことを特徴とする請求の範囲２１記載のプログラム。
【発明の詳細な説明】
技術分野
デジタル放送の映像等を視聴者がプリントアウトする場合の印刷制御技術に関し、特に、放送コンテンツの提供者側が、主体的に上記印刷の制御を行なう技術に関する。
背景技術
近年、デジタル放送の本放送開始により、そのコンテンツの豊富さと情報の多様さとに伴って、デジタル放送の映像等を印刷し得るプリンタが提案されている。さらに、特に高品位テレビの高精細な画質をそのまま印刷できる機種も登場しており、放送コンテンツの作製に要した費用の一部を、著作権を行使することにより回収しようとする放送コンテンツの提供者側からすると、著作権管理が事実上できない状態にある。
このような著作権侵害を未然に防止する方策の１つに、特開２００１−０８６４５２号に記載の「静止画印刷出力システム、静止画印刷出力方法及び情報提供媒体」がある。これは、ＭＰＥＧシステムで規定されているＴＳパケットのヘッダ情報の中に「印刷許可フラグ」を設けることにより、放送コンテンツの提供者側が主体的に、視聴者が行なう映像の印刷に対して制限・制御を行なうものである。
しかしながら、上記の従来方法の場合は、印刷許可フラグによって制御し得るる対象が映像データのみであり、かつ、表示される全画面単位となっているため、デジタル放送に付帯して送信される映像以外のデータコンテンツを対象としたり、マルチチャンネル画面の中の１画面や、映像とテキスト画面のうち映像の画面だけに対して印刷を制限するということはできない。特に、１画面の中に、印刷を制限したい部分と印刷を制限する必要のない部分とが混在する場合は、画面全体について印刷制限を行なわなければならず、コンテンツの提供者側及び視聴者側の双方に不満が生じるという問題がある。
そこで、本発明は、上記課題に鑑みてなされたものであり、１画面に表示されている複数のコンテンツの一部に対して印刷制限を可能とする印刷制御装置を提供することを目的とする。
さらに、本線映像と連動するデータコンテンツに対しても印刷制御が可能な印刷制御装置を提供することを第２の目的とする。
発明の開示
上記目的を達成するために、本発明に係る印刷制御装置は、印刷装置に接続されて用いられる印刷制御装置であって、コンテンツが格納されたコンテンツファイルと印刷制御情報とを含む放送信号を受信する受信手段と、受信されたコンテンツファイルの少なくとも一部を印刷する旨の印刷指示を取得する印刷指示取得手段と、前記印刷指示が取得され、かつ、前記印刷制御情報が所定の条件を満たす場合に、印刷指示された印刷対象を前記印刷装置に出力する出力手段とを備えることを特徴とする。
さらに、前記印刷制御装置には、表示装置が接続され、前記放送信号には、さらに、コンテンツに関する情報が格納されたコンテンツ制御ファイルが含まれ、前記印刷制御装置は、さらに、前記受信手段によって受信された放送信号に含まれるコンテンツ制御ファイルに基づいて、前記コンテンツを表示する信号を前記表示装置に出力する表示制御手段を備えることとしてもよい。
これによって、デジタル放送信号に含まれる印刷制御情報が示す内容に依存して、コンテンツの印刷出力が制御されるので、デジタル放送信号に含まれる各種コンテンツの印刷出力に対する制限が可能となり、コンテンツ制作者やコンテンツの送信者の意図を反映した印刷出力制御が可能となる。
ここで、前記印刷制御情報が前記コンテンツファイルに対応づけられる構成としてもよい。これによって、ファイルを単位とする印刷制限が可能となり、複数のファイルによって１つの画面が構成される場合には、画面中の部分コンテンツに対する印刷制限を行なうことができる。
また、前記放送信号は、さらに、映像データを含み、前記印刷制御情報が、前記コンテンツ制御ファイルと前記コンテンツファイルとの組である番組に対応づけられていてもよい。これによって、番組を単位とする印刷制限が可能となり、複数の画面デザイン等で構成され一体の著作物となっているものについて、その単位（データ放送番組単位）で印刷制限をすることができる。
また、前記コンテンツファイルは、前記映像データと関係づけられている番組連動コンテンツファイルであって、前記印刷制御装置は、さらに、前記受信手段で受信された複数の放送信号の中から一の放送信号を選択し、選択した放送信号から映像データを抽出する選択手段を備え、前記印刷指示取得手段は、前記コンテンツファイル及び前記映像データの少なくても一部を印刷対象とする印刷指示を取得し、前記印刷制御情報が前記映像データに対応づけられていてもよい。
これによって、番組連動データ放送等のチャネルを単位とする印刷制限が可能となり、番組連動コンテンツに対してコンテンツテ提供者が一括で印刷制限を行なうことができる。
また、前記印刷制御装置は、さらに、前記表示装置を備えることとしてもよい。これによって、ＳＴＢ等の受信機単体ではなく、ＳＴＢとＴＶとが一体となったテレビセットとして印刷制御装置を実現することが可能となる。
また、前記印刷制御装置は、さらに、前記印刷装置と前記表示装置とを備えることとしてもよい。これによって、ＳＴＢ等の受信機単体ではなく、プリンタ内蔵テレビセットとして印刷制御装置を実現することが可能となる。
また、前記出力手段は、前記印刷指示が取得され、かつ、前記印刷制御情報が所定の値の場合に、前記印刷装置に、画質を劣化させて印刷させることとしてもよい。これによって、印刷が制限される場合であっても、全く何も印刷出力されないという事態を回避し、ユーザに対して、印刷制限があることを明示的に知らせたり、印刷制限を解除する操作をするように促したりすることができる。
また、前記画質劣化が印刷画面の解像度を低下させるものであることとしてもよい。これによって、印刷制限の程度を様々な態様に設定しておくことが可能となり、きめ細かい印刷制限を行なうことができる。
また、前記印刷制御装置は、さらに、記憶媒体から個別印刷許可情報を読み取る読取手段を備え、前記出力手段は、前記印刷指示が取得され、かつ、前記印刷制御情報が第１の所定の条件を満たし、かつ、前記個別印刷許可情報が第２の所定の条件を満たす場合に、前記印刷対象を前記印刷装置に出力することとしてもよい。
これによって、印刷制御情報だけでなく、記憶媒体から読み出された個別印刷許可情報も考慮したうえで、印刷の拒否が決定されるので、例えば、限定受信システムにおける視聴許可等のように、印刷制御装置毎に印刷制限を制御することが可能となる。
また、前記印刷制御装置は、さらに、外部からの指示を受信する通信制御手段と、前記指示に応じて前記記憶媒体の個別印刷許可情報の内容を更新する更新手段と、外部に対して情報を発信する発信制御手段と、利用者からの印刷指示を取得する指示取得手段とを備え、前記更新手段は、前記印刷指示に応じて前記記憶媒体の個別印刷許可情報を更新することとしてもよい。
これによって、例えば、放送局との新たな契約によって印刷制限を制御する等の遠隔制御を可能としたり、個別印刷許可情報に課金情報を記録することで、ユーザの印刷指示の回数等に応じた課金が可能となる。
さらに、前記放送信号には、印刷コンテンツ販売サイトのネットワーク上のアドレスを示すアドレス情報が含まれ、前記印刷制御装置は、さらに、前記印刷指示が取得され、かつ、前記印刷制御情報が印刷禁止を示す場合に、前記アドレス情報に基づいて、前記印刷コンテンツ販売サイトから印刷物を入手する印刷物入手手段を備えることとしてもよい。
これによって、放送中のコンテンツを直接印刷することができない場合であっても、代替ＵＲＬに基づいてネットワーク上の印刷コンテンツ販売サイトに接続することが可能となるので、ユーザが希望する印刷を実現することが可能となる。
なお、本発明は、上記印刷制御装置として実現することができるだけでなく、上記印刷制御装置が備える特徴的な手段をステップとする印刷制御方法として実現したり、それらのステップをパソコン等のコンピュータに実行させるプログラムとして実現してもよい。そして、そのようなプログラムをＣＤ−ＲＯＭ等の記録媒体やインターネット等の伝送媒体を介して流通させることができるのは言うまでもない。
発明を実施するための最良の形態
以下、本発明に係る実施の形態について、図面を参照しながら詳細に説明する。
（実施の形態１）
図１は、本実施の形態におけるデジタル放送印刷システム１０の機能構成を示すブロック図である。本システム１０は、デジタル放送を受信して映像、音声を再生すると共に、視聴者（「ユーザ」ともいう。）からその放送コンテンツについて印刷を行なう指示があった場合は、放送コンテンツに対応付けられて送信される印刷制御情報に基づいて印刷の制限を行なうシステムである。このデジタル放送印刷システム１０は、デジタル放送受信装置２０、印刷装置３０、表示装置４０、リモコン５０及び受信アンテナ６０から構成されている。なお、デジタル放送受信装置２０、印刷装置３０及び表示装置４０については、１つの筐体に収納されたプリンタ機能付きの一体型テレビ受像機として実現されたり、各装置が専用の接続ケーブルで接続されたユニット型のシステムとして実現され得る。
デジタル放送受信装置２０は、例えば、セットトップボックス（Ｓｅｔ  Ｔｏｐ  Ｂｏｘ）等のデジタル放送用のチューナ装置であり、受信アンテナ６０等を介して受信した放送電波等から映像信号や音声信号等を復号し、これらを表示装置４０に出力すると共に、リモコン５０や操作ボタン（図示せず）等からの指示に基づいて、画像データやテキストデータ等を生成し印刷装置３０に出力する。このデジタル放送受信装置２０は、放送受信部２１、データ復号部２２、記憶部２３、リモコン受信部２４、プリンタＩ／Ｆ部２５及び制御部２６から構成されている。
放送受信部２１は、受信した放送電波から目的の搬送波を選択し、これを復調してＴＳ（Ｔｒａｎｓｐｏｒｔ  Ｓｔｒｅａｍ）を復元する。復元したＴＳをデータ復号部２２に送信する。
データ復号部２２は、放送受信部２１から受信したＴＳをデコード及びデスクランブルした後、映像、音声及びデータの各コンテンツに分離する。
記憶部２３は、表示装置４０及び印刷装置３０に出力する映像データや印刷用データをフレーム単位で保持するためのフレームバッファ等を備える。さらに、記憶部２３は、データ復号部２２から出力されるコンテンツを蓄積するためのハードディスクやＤＶＤ−ＲＡＭ等を備える。
リモコン受信部２４は、リモコン５０からの赤外線信号を受信し、受信した信号を制御部２６に送信する。
プリンタＩ／Ｆ部２５は、デジタル放送受信装置２０と印刷装置３０とを接続するためのＵＳＢやＩＥＥＥ１３９４バス等に対応するインターフェース回路等である。
制御部２６は、デジタル放送受信装置２０の全体を制御するためのマイクロプロセッサ等であり、専用の制御プログラムが格納されたＲＯＭやＲＡＭ等を備える。
印刷装置３０は、プリンタＩ／Ｆ部２５を介して受信した印刷用データに基づいて印刷を行なう。
表示装置４０は、映像信号を生成する表示制御回路とＴＶ受像回路等からなり、デジタル放送の映像等の表示を行なうと共に、音声の再生を行なう。
図２は、本デジタル放送印刷システム１０が、印刷制御情報によって印刷制御を行なう場合の概要を説明するための図である。
デジタル放送においては、ＴＳに格納されている１つのチャンネル内の１つの番組を選択するために、種々のテーブル情報が用意されている。これらのテーブル情報を利用することにより、視聴者によって選局された（又は予め設定されている）チャンネルの番組のコンテンツを特定することが可能となる（このような方式を採用することにより、番組の構成を自由に変更でき、番組に関するデータの柔軟な多重を可能としている）。これらのテーブル情報としては、例えば、ＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、ＥＩＴ（Ｅｖｅｎｔ  Ｉｎｆｏｒｍａｔｉｏｎ  Ｔａｂｌｅ）等があり、さらに、ＰＭＴの下位にＤＩＩ（Ｄｏｗｎｌｏａｄ  Ｉｎｆｏ  Ｉｎｄｉｃａｔｉｏｎ）やＤＤＢ（Ｄｏｗｎｌｏａｄ  Ｄａｔａ  Ｂｌｏｃｋ）が階層的に定義されている。これらの情報は、ＴＳにセクション形式で格納されている。
ＰＡＴは、後述するＰＭＴの個数とそれぞれのＰＭＴのある場所（即ち、ＰＭＴを格納するパケットのＰＩＤ（Ｐａｃｋｅｔ  Ｉｄｅｎｔｉｆｉｅｒ））とを関連付けて登録するテーブルである。
ＰＭＴは、１つのチャンネル（チャンネル）のコンポーネント（映像、音声、データ等）構成を示すテーブルであり、各コンポーネントのＰＩＤ等を指定するためのテーブルである。このＰＭＴは、各チャンネルに対応付けられて用意される。
ＤＩＩは、データ放送における１つの番組を構成するコンテンツの実データを細かなブロックに分けたＤＤＢのディレクトリ情報を記載したメッセージである。
図２に示されるように、ＰＡＴ２０１には、チャンネル「ＢＳ１」のＰＭＴの格納場所を示すＰＭＴ＿ＰＩＤ２０２（＝０ｘ３１）とｓｅｒｖｉｃｅ＿ｉｄ２０３（＝０ｘ１０１）とが定義されている。同様に、チャンネル「ＢＳ２」についても、ＰＭＴの格納場所を示すＰＭＴ＿ＰＩＤ２０４（＝０ｘ３２）とｓｅｒｖｉｃｅ＿ｉｄ２０５（＝０ｘ１０２）が定義されている。
これにより、チャンネルＢＳ１のＰＭＴ２１１には、上記のｓｅｒｖｉｃｅ＿ｉｄ２０３と同じｓｅｒｖｉｃｅ＿ｉｄ２１３（＝０ｘ１０１）が定義されると共に、チャンネルＢＳ１の全体を対象とする印刷制御情報２１４として「０」が定義されている。なお、チャンネルＢＳ２についても同様に、ＰＭＴ２１２の中に印刷制御情報が定義される。
さらに、チャンネルＢＳ１のＰＭＴ２１１には、各番組のＰＩＤが定義され、これらのＰＩＤにより、その下位のＤＩＩやＤＤＢを関連付けて特定することが可能であり、それぞれにおいて印刷制御情報を定義することが可能である。例えば、番組１のＤＩＩ２２１には、番組１の全体を対象として印刷制御情報が「３」と定義されており、番組１のモジュール１のＤＤＢ２３３には、印刷制御情報が「３」と定義されている。
ここで、ＤＤＢは、２種類のコンテンツファイル（例えば、ＢＭＬで書かれたトップページのコンテンツファイル（ｔｏｐ＿ｐａｇｅ．ｂｍｌ）とＪＰＥＧ画像などのコンテンツファイル）から構成されている。さらに詳細にいうと、放送局でコンテンツファイル群を並べて、あるバイト数で輪切りにしたものがＤＤＢである。上記のトップページ（ｔｏｐ＿ｐａｇｅ．ｂｍｌ）には、コンテンツ製作者により、ＪＰＥＧ画像などをどう表示するかについて、その表示の仕方が記述されている。ＳＴＢはトップページ（ｔｏｐ＿ｐａｇｅ．ｂｍｌ）の記載内容に基づいてコンテンツファイルの印刷制御を行なう。なお、詳しくは、以下において図８〜図１２を用いて説明する。
図３は、上記図２における印刷制御情報の一例を示す図である。この印刷制御情報について、上記の図２の例を用いて説明すると、例えば、ＰＭＴ２１１においては、チャンネルＢＳ１の印刷制御情報が「０」と定義されているので、ＢＳ１としては、原則、「自由に印刷が可能」である。しかし、チャンネルＢＳ１における番組１については、ＤＩＩ２２１の中に定義されている印刷制御情報２２４が「３」であるので、「印刷禁止」である。
図４は、１つのチャンネルにおける各番組のタイトルや放送日時等の情報を登録するためのＥＩＴの一例である。図４に示されるように、ＥＩＴは、上記図２のＰＭＴのｓｅｒｖｉｃｅ＿ｉｄ２１３（＝０ｘ１０１）と同じ値のｓｅｒｖｉｃｅ＿ｉｄ４０２を引用することによって、チャンネルＢＳ１における各番組（ｅｖｅｎｔ＿ｉｄによって番組に関するデータの格納場所が特定され得る。）について印刷制御情報を定義している。
次に、以上のように構成されるデジタル放送印刷システム１０を用いて印刷を実行した場合の具体例について説明する。
図５（ａ）、（ｂ）は、１つの画面にテキストと映像とが同時に表示されている状態おいて、視聴者から印刷指示があった場合の画面表示例と印刷例とを示す図である。図５（ａ）に示されるように、画面５１には、テキスト５２と、これに関連する映像５３が表示されている。この状態で、視聴者からリモコン５０等によって「印刷」の指示を受け付けたとき、制御部２６は、データ復号部２２を介してテキスト５２及び映像５３が定義されている上記のＤＩＩ又はＤＤＢを参照し、それぞれに対応する印刷制御情報の内容を読み出す。もし、映像５３に対応する印刷制御情報が「３」の場合は、図５（ｂ）に示されるように、印刷結果５４には映像５３に相当する部分については、印刷不可を示す「×」マーク５６が印刷されることとなる。
なお、印刷結果５４に印刷不可を示すだけでなく、印刷不可である事実を事前にユーザに確認させるために、ユーザの指示によって又は強制的にユーザに提示（例えば、印刷プレビュー画面に印刷禁止である旨を示す「×」マークを表示）することとする。例えば、図５（ａ）の画面において、ユーザから「印刷プレビュー」の指示があった場合は、印刷プレビュー画面に切り替えて、図５（ｂ）に示す内容の表示を行なう。また、ユーザから「印刷」のみの指示があり、画面の中に印刷が禁止されている部分が含まれている場合は、強制的に「印刷プレビュー画面」に切り替えて、図５（ｂ）に示す画面を表示して、画面の中に印刷が禁止されている部分が含まれていることをユーザに知らせることとする。
図６は、マルチ画面が表示されている状態において、視聴者から印刷指示があった場合の画面表示例と印刷例とを示す図である。図６（ａ）には、画面５１の左半分に映画の映像６１が表示され、右半分には天気予報の映像６２が表示されている様子が示されている。この状態で、視聴者から、図５の場合と同様に「印刷」の指示を受け付けたときは、やはり制御部２６によって、映画の映像６１及び天気予報の映像６２が定義されている上記のＤＩＩ又はＤＤＢを参照し、それぞれに対応する印刷制御情報の内容が読み出される。もし、映画の映像６１に対応する印刷制御情報が「３」の場合は、図６（ｂ）に示されるように、印刷結果６３としては、映画の映像６１に相当する印刷が実行されず、「×」マーク６４が印刷されることとなる。
図７は、画面に映像が表示されている状態おいて、視聴者から番組連動コンテンツに対して印刷指示があった場合の画面表示例と印刷例とを示す図である。図７（ａ）は、映画の１シーンの映像の一例である。この場合の画面５１の左下には、ブロマイド印刷ボタン７１が表示され、番組連動コンテンツとして、画面５１に写っている女優のブロマイドの印刷が可能である様子が示されている。この状態で、視聴者から「印刷」の指示を受け付けたときは、制御部２６によって、番組連動コンテンツが定義されているＤＩＩ又はＤＤＢを参照し、これに対応する印刷制御情報の内容が読み出される。もし、このブロマイドに対応する印刷制御情報が「２」の場合は、図７（ｂ）に示されるように、印刷結果７２として、通常の解像度の部分７３と低い解像度の部分７４とがストライプ状に混ざった印刷結果７２が生成される。
以下では、ＤＤＢのトップページ＜ｔｏｐ＿ｐａｇｅ．ｂｍｌ＞に印刷制御情報＜ｐｒｉｎｔ＿ｃｔｒｌ＞を定義することによって印刷制御を行なう場合について、具体的に説明する。
図８は、画面全体を印刷不可にする場合のＢＭＬの例である。図８（ａ）に示されるように、トップページ＜ｔｏｐ＿ｐａｇｅ．ｂｍｌ＞の＜ｈｅａｄ＞＜／ｈｅａｄ＞で囲われたヘッダ部分に、新規タグとして＜ｐｒｉｎｔ＿ｃｔｒｌ＞を用いて、そのトップページ＜ｔｏｐ＿ｐａｇｅ．ｂｍｌ＞が表すコンテンツに対する印刷制御情報を定義する。図８（ａ）の例の場合は、ｃｏｐｙ＝“ｎｅｖｅｒ（＝３）”で印刷禁止を指定している。図８（ａ）のようにＢＭＬを定義した場合は、たとえユーザが印刷指示を行なったとしても、プリンタもしくはＳＴＢは、印刷結果として印刷不可を示す「×」マークを印刷するように制御を行なう。
図９は、コンテンツの一部に対して印刷制御を行なう場合のＢＭＬの例である。図９（ａ）の場合は、ｃｏｎｔｅｎｔ＝“ｉｍａｇｅ／ｊｐｅｇ”により、ＪＰＥＧファイル（ｉｍａｇｅ／ｊｐｅｇ）に対してｃｏｐｙ＝“ｎｅｖｅｒ”で印刷禁止を指定しているので、たとえユーザが印刷を指示した場合であっても、プリンタもしくはＳＴＢは、図９（ｃ）に示されるように、ＪＰＥＧ画像部分の印刷画像として印刷不可を示す「×」マークを印刷するように制御を行なう（または、ＳＴＢ側で「印刷不可」という画面表示を行なってユーザにその旨を知らせる）。
図１０は、トップページのボディ部分において、ファイル毎に印刷制御を行なう場合のＢＭＬの例である。図１０（ａ）の例では、個々のＪＰＥＧファイルに対してｃｏｐｙ＝“ｎｅｖｅｒ”で印刷禁止を定義している。これにより、ユーザが印刷指示を行なったとしても、プリンタもしくはＳＴＢは、図１０（ｃ）に示されるように、＜ｐｒｉｎｔ＿ｃｔｒｌ＞が“ｎｅｖｅｒ”の“１．ｊｐｇ”のＪＰＥＧ画像については、印刷不可を示す「×」マークを印刷するように制御する。
図１１は、トップページのＢＭＬに定義された印刷制御情報に基づいてブラウザの動作制御を行なう場合の一例である。図１１（ａ）に示されるように、トップページ＜ｔｏｐ＿ｐａｇｅ．ｂｍｌ＞の＜ｈｅａｄ＞＜／ｈｅａｄ＞で囲われたヘッダ部分に、印刷許可情報タグ＜ｐｒｉｎｔ＿ｃｔｒｌ＞を用いて、そのトップページ＜ｔｏｐ＿ｐａｇｅ．ｂｍｌ＞が表すコンテンツに対する印刷制御情報を書き込む。図１１（ａ）の場合であれば、ｃｏｐｙ＝“ｎｅｖｅｒ”によって印刷禁止が指定されている。このように定義することにより、印刷ボタン（これは、ＢＭＬブラウザの操作ボタンの１つである。）をグレーアウト（＝操作できない状態を表す）で画面に表示させ、印刷不可であることをユーザに通知するように制御を行なう。なお、チャンネル全体や番組全体が“印刷禁止”の場合も、上記と同様に、印刷ボタンをグレーアウト表示に変換して表わすこととする。
図１２は、トップページのボディ部分に定義された印刷制御情報に基づいてブラウザの動作制御を行なう場合の一例である。図１２（ａ）に示されるように、個々のＪＰＥＧファイルに対してｃｏｐｙ＝“ｎｅｖｅｒ”によって印刷禁止が指定されている。これにより、ユーザの操作によって、画面の中のカーソルが印刷不可のＪＰＥＧ画像の位置に移動したときは、印刷ボタンがグレーアウトし、印刷不可であることをユーザに通知するように制御する。
図１３は、以上のように構成されたデジタル放送印刷システム１０の全体における処理の流れを示すフローチャートである。
最初に、視聴者によって「印刷」の指示を受け付けた場合（Ｓ８０１）、制御部２６は、その時点で表示中の画面の構成を調べ、印刷対象が複数か否か（Ｓ８０２）、番組連動コンテンツがあるか否か（Ｓ８０３）、複数のチャンネルが表示されているか否か（Ｓ８０５）及び複数の番組が表示されているか否か（Ｓ８０６）等について確認する。ここで、印刷対象が複数か否かについて及び番組連動コンテンツがあるか否かについては、例えば、ＤＩＩによって確認を行なう。また、複数のチャンネルが表示されているか否かについて及び複数の番組が表示されているか否かについては、例えば、ＰＡＴによって確認を行なう。
次に、制御部２６は、画面に表示されている各映像に対応する印刷制御情報を調べ（Ｓ８１０）、それぞれの印刷制御情報に応じた印刷を行なうための印刷用データを印刷装置３０に送信する（Ｓ８１１）。
印刷装置３０は、デジタル放送受信装置２０から印刷用データを受信すると、受信したデータに基づいて印刷を行なう（Ｓ８１２）。
以上のように、デジタル放送印刷システム１０は、予め、放送コンテンツの提供者が印刷制御情報をコンテンツに対応付けて送信し、コンテンツの受信側は、この印刷制御情報に基づいて印刷を行なうので、放送コンテンツの提供者側が主体的に視聴者による映像のプリントアウトについて制御することが可能となる。
（実施の形態２）
図１４は、本実施の形態におけるデジタル放送印刷システム１００の機能構成を示すブロック図である。このデジタル放送印刷システム１００は、デジタル放送を受信して映像、音声を再生すると共に、視聴者からその映像について印刷を行なう指示があった場合は、印刷制御情報及びＩＣカード内の個別印刷許可情報に基づいて、この印刷に対して制御を行なう。さらに、本システム１００は、通信回線等を用いてリアルタイムで契約等を行なった内容に応じて、その印刷に対して制御を行ない得るシステムである。このデジタル放送印刷システム１００は、デジタル放送受信装置２００、表示装置４０、リモコン５０、印刷装置２１０及び受信アンテナ６０から構成されている。なお、デジタル放送受信装置２００、表示装置４０及び印刷装置２１０については、１つの筐体に収納されたプリンタ機能付きの一体型テレビ受像機として実現されたり、各装置が専用の接続ケーブルで接続されたユニット型のシステムとして実現され得るものとする。
以下においては、上記実施の形態１におけるデジタル放送印刷システム１０と異なる構成について重点的に説明することとし、共通する構成については同一の符号を付し、説明は省略する。
デジタル放送受信装置２００は、例えば、セットトップボックス（Ｓｅｔ  Ｔｏｐ  Ｂｏｘ）等のデジタル放送用のチューナ装置であり、上記実施の形態１におけるデジタル放送印刷システム１０の機能を備えると共に、限定受信契約を行なっている視聴者に対して、ＩＣカードに登録されている個別印刷許可情報を用いて映像に対する印刷の制御を行なう。このデジタル放送受信装置２００は、放送受信部２１、データ復号部２２、記憶部２０４、リモコン受信部２４、プリンタＩ／Ｆ部２０１、データ通信Ｉ／Ｆ部２０２、ＩＣカードＩ／Ｆ部２０３及び制御部２０５から構成されている。
プリンタＩ／Ｆ部２０１は、このデジタル放送受信装置２００と印刷装置２１０とを接続するためのＵＳＢやＩＥＥＥ１３９４バス等に対応するインターフェース回路等である。
データ通信Ｉ／Ｆ部２０２は、デジタル放送受信装置２０が、通信ネットワークを介してデジタル放送送信装置（ともに図示せず）と双方向にデータをやり取りするための電話モデム等である。
ＩＣカードＩ／Ｆ部２０３は、ＩＣカード用のリーダ・ライタ等であり、デジタル放送を限定受信方式（Ｃｏｎｄｉｔｉｏｎａｌ  Ａｃｃｅｓｓ  Ｓｙｓｔｅｍ：ＣＡＳ）で利用する際に使用するＩＣカード２２０に対して、限定受信に関する契約内容やセキュリティ、課金等に関するデータの読み書きを行なう。なお、ＩＣカード２２０は、固有の識別情報（カードＩＤ）や視聴履歴情報を内部メモリに保持すると共に、それらの情報をセキュアに保持するための回路等を備えている。ＩＣカード２２０がＩＣカードＩ／Ｆ部２０３に装着されると、カードＩＤがデジタル放送受信装置２００に送信され、デジタル放送受信装置２００の使用者を識別するユーザ情報として使用される。
記憶部２０４は、印刷装置２１０及び表示装置４０に出力する映像像信や画像データをフレーム単位で保持するためのフレームバッファ等を備える。さらに、記憶部２３は、データ復号部２２から出力されるコンテンツを蓄積するためのハードディスクやＤＶＤ−ＲＡＭ等を備える。
制御部２０５は、デジタル放送受信装置２００の全体を制御するためのマイクロプロセッサ等であり、専用の制御プログラムが格納されたＲＯＭやＲＡＭ等を備える。
印刷装置２１０は、プリンタＩ／Ｆ部２５を介して受信した印刷用データと個別印刷許可情報とに基づいて映像等の印刷を行なう装置であり、印刷制御部２１１、印刷画像処理部２１２及び印刷エンジン部２１３から構成される。
印刷制御部２１１は、印刷装置２１０の全体を制御するＲＯＭやＲＡＭ等を備えるマイクロコンピュータ等である。
印刷画像処理部２１２は、印刷制御部２１１を介して受信した印刷用データと個別印刷許可情報とに基づいて、印刷用データの変換や加工等を行なう。例えば、上記実施の形態１の図５（ｂ）に示されるように、一部の印刷エリアを「×」で示したり、同じく上記図７（ｂ）に示されるように、部分的に低解像化（１つの着目した画素の値で周囲の画素の値を置き換えたり、周囲の画素を白又は黒に置き換えたりする方法などがある）を行なう。
なお、本実施の形態では、印刷画像処理部２１２において印刷用データの変換や加工等を行なうこととしたが、この機能をデジタル放送受信装置２００に備えることとしてもよい。
印刷エンジン部２１３は、インクジェット方式等のプリンタエンジンであり、印刷画像処理部２１２から送信されるデータに基づいて、普通紙等にカラー又はモノクロ画像の印刷を行なう。
図１５は、個別印刷許可情報に基づいて印刷制御を行なう場合の一例を示す図である。ここで、「Ｐａｙ  ｐｅｒ  Ｐｒｉｎｔ」とは、映像又は画像を印刷する毎に、それに応じた課金処理を行なう印刷方式をいう。例えば、上記実施の形態１の図７において、視聴者がストライプ状の印刷ではなく、通常の印刷を希望するために個別に契約を行なった場合は、高解像での印刷を可能とするものである。
図１６は、以上のように構成されたデジタル放送印刷システム１００の全体における処理の流れを示すフローチャートである。
最初に、視聴者によって「印刷」の指示を受け付けた場合（Ｓ８０１）、制御部２０５は、その時点でＩＣカードＩ／Ｆ部２０３を介して、ＩＣカード２２０に個別印刷許可情報が格納されているか否かについて調べる（Ｓ１１０１）。
個別印刷許可情報がある場合は（Ｓ１１０１：Ｙｅｓ）、上記実施の形態１における印刷制御情報を考慮して、新たに印刷条件を設定する（Ｓ１１０２）。以下、新たに設定された印刷条件に従って、上記実施の形態１の場合と同様に判断を行なう（Ｓ８０２〜Ｓ８１０）。
次に、制御部２０５は、視聴者に対して、印刷確認を行なうため、又は現在の状況では印刷が制限される旨を通知するための表示を行なう（Ｓ１１０３）。これにより、視聴者から「Ｐａｙ  ｐｅｒ  Ｐｒｉｎｔ」の指示を受け付けた場合は、データ通信Ｉ／Ｆ部２０２を介して放送事業者等と「Ｐａｙ  ｐｅｒ  Ｐｒｉｎｔ」を可能とする課金処理（又は契約処理等）を行なう（Ｓ１１０５）。
最後に、制御部２０５は、プリンタＩ／Ｆ部２０１を介して、印刷装置２１０に、個別印刷許可情報と印刷用データとを印刷装置２１０に送信する。印刷用データを受信した印刷装置２１０は、個別印刷許可情報に基づいて、印刷用データに対して画像処理を行ない、画像処理が施されたデータに基づいて印刷を行なう（Ｓ１１０７）。
以上のように、デジタル放送印刷システム１００により、視聴者が限定受信の契約を行なっている場合は、上記印刷制御情報を考慮した個別印刷許可情報に基づいて、視聴者に対する印刷の制御を行ない、さらに、リアルタイムで行なった契約にも対応しながら印刷の制御を行なうので、放送コンテンツにおける著作権を保護しながら、提供者及び視聴者の双方にとって利便性の高い印刷システムを提供することが可能となる。
（実施の形態３）
上記実施の形態１及び実施の形態２では、印刷制御情報やＩＣカード内の個別印刷許可情報に基づいて、放送コンテンツの印刷を制御するデジタル放送印刷システムについて説明したが、本実施の形態では、放送コンテンツが印刷できない場合であってもインターネット等のネットワークを介してユーザが希望する印刷を実現するデジタル放送印刷システムについて説明する。なお、以下においては、上記実施の形態１又は実施の形態２における機能構成と同じ機能構成については同一の符号を使用し、その説明は省略する。
本実施の形態に係るデジタル放送印刷システム３００（図示せず）の機能構成は、基本的に上記実施の形態２におけるデジタル放送印刷システム１００の機能構成と同じであり、デジタル放送受信装置４００（図示せず）と印刷装置２１０、表示装置４０、リモコン５０及びアンテナ６０、ＩＣカード２２０を備える。デジタル放送受信装置２００とデジタル放送受信装置４００とが異なる点は、デジタル放送受信装置２００の制御部２０５に代えてデジタル放送受信装置４００が制御部４０５（図示せず）を備える点である。
制御部４０５は、デジタル放送受信装置４００の全体を制御するためのマイクロプロセッサ等であり、専用の制御プログラムが格納されたＲＯＭやＲＡＭ等を備える。さらに、制御部４０５は、放送コンテンツの印刷ができない場合であっても、ユーザの指示に従って、インターネット等のネットワークを介して印刷コンテンツ販売サイトに接続し、ユーザが希望するコンテンツの印刷の入手を可能とするための制御を行なう。さらにまた、制御部４０５は、受信した放送コンテンツの階層的なテーブル情報に格納されている印刷制御情報やＩＣカード２２０に格納されている個別印刷許可情報を解釈し、その内容に基づいて放送コンテンツの印刷可否、印刷形態の判断やインターネット等のネットワークを介して印刷物を取得するための制御を行なう。
図１７は、本実施の形態に係るデジタル放送印刷システム３００が、印刷制御情報等によって印刷制御を行なう場合に使用する階層的なテーブル情報の一例を示す図である。図１７に示されるように、番組１を構成するコンテンツ毎に定義されているディレクトリ情報であるＤＩＩの中には、番組１のコンテンツに関して印刷を希望するユーザのために代替ＵＲＬ（即ち、インターネット上の印刷コンテンツ販売サイトのアドレスを示すＵＲＬ）である「ｗｗｗ．ｐｃｓ．ｃｏｍ／ｍｉｄｇｈｔ」（この場合、「ＨＴＴＰ：／／」は省略している。）が定義されている。制御部４０５は、インターネットに接続可能な場合は、ユーザの指示に従って、この代替ＵＲＬが示す印刷コンテンツ販売サイトに接続して印刷物を入手するための制御を行なう。なお、図１７に示されているように、ＤＩＩ２２１の下位のモジュール１のディレクトリ情報であるＤＤＢ２３１（例えば、番組１の中の１シーン）に代替ＵＲＬ１７０２「ｗｗｗ．ｐｃｓ．ｃｏｍ／ｍｉｄｇｈｔ／ｓ＿１．ｈｔｍ」が定義されている場合、制御部４０５は、この代替ＵＲＬに基づいて、上記と同様に番組１の中の１シーンの印刷物を入手するための制御を行なうこととしてもよい。
以下、本実施の形態において、ユーザがネットワークを介して希望するコンテンツの印刷を行なう場合の実施例について、図１８〜図１２０を参照しながら説明する。
図１８は、本実施の形態において、放送コンテンツが印刷できない場合であっても、ネットワークを介してユーザが希望するコンテンツの印刷を行なう場合における制御部４０５の処理の流れを示すフローチャートである。図１９（ａ）〜（ｄ）及び図２０は、本実施の形態における表示装置４０に表示される画面例である。
図１８に示されるように、最初に、制御部４０５は、ユーザから印刷ボタンの押下を受け付けると（Ｓ１８０１：Ｙｅｓ）、制御部４０５は、印刷制御情報の値が「印刷禁止」か否かを調べ（Ｓ１８０２）、印刷が可能な場合は（Ｓ１８０２：Ｎｏ）、印刷制御情報の値に基づいて印刷を行なう（Ｓ１８０３）。一方、印刷制御情報の値が「印刷禁止」の場合、制御部４０５は、インターネット上の印刷コンテンツ販売サイトに接続可能か否か（即ち、インターネットへの接続機能を有しているか否か）を確認して（Ｓ１８０４）、上記接続ができない場合は表示装置４０に、ユーザから指示されたコンテンツについては印刷ができない旨を表わす表示（例えば、図１９（ａ）のような「印刷できません。」の表示）をさせるための指示を行なう（Ｓ１８０５）。
さらに、制御部４０５は、ＤＩＩ（又はＤＤＢ）に代替ＵＲＬが定義されているか否かを確認し（Ｓ１８０６）、代替ＵＲＬが定義されていない場合は（Ｓ１８０６）、上記と同様に、印刷ができない旨を表わす表示をさせるための指示を印刷装置４０に行なう（Ｓ１８０７）。もし、代替ＵＲＬが定義されている場合（Ｓ１８０６：Ｙｅｓ）、制御部４０５は、ブックマーク機能がある場合は（Ｓ１８０８：Ｙｅｓ）、ブックマークに代替ＵＲＬを登録し、この旨を表わす表示（例えば、図１９（ｂ）のような「販売サイトのＵＲＬをブックマークに登録しました。」の表示）をさせるための指示を印刷装置４０に行なう。
もし、ブックマーク機能がない場合（Ｓ１８０８：Ｎｏ）、制御部４０５は、通信系画面への切り替えの可否を確認するための画面（例えば、図１９（ｃ）に示すような表示）においてユーザから通信系画面に切り替える旨の指示があったら（即ち、●ボタンが押されたら）、通信系画面に切り替えてコンテンツの印刷を行なうための制御を行なう（Ｓ１８１２）。一方、ユーザから通信系画面に切り替えない旨の指示があったら（即ち、▲ボタンが押されたら）、制御部４０５は印刷装置４０に、上記と同様に、印刷ができない旨を表わす表示を行なうための指示を行なう（Ｓ１８１１）。
さらに、制御部４０５は、番組が終わると（Ｓ１８１２：Ｙｅｓ）、ブックマーク画面に切り替え、ユーザの指示に従って印刷物を取得するための制御を行なう（Ｓ１８１４）。
図２０は、ブックマーク画面の一例を示す図である。図２０のブックマーク画面２００１には、ユーザによって登録された代替ＵＲＬに係る印刷コンテンツ販売サイト２００３が表示され、ユーザの操作によってカーソル２００２が「印刷コンテンツ販売サイト」の位置に移動されると、代替ＵＲＬが登録された日時と、関連する番組名とが表示されている例が示されている。
以上のように、本実施の形態に係るデジタル放送印刷システムを用いることにより、放送中のコンテンツを直接印刷することができない場合であっても、代替ＵＲＬに基づいてネットワーク上の印刷コンテンツ販売サイトに接続することが可能となるので、インターネット等のネットワークを介してユーザが希望する印刷を実現することが可能となる。
産業上の利用可能性
以上のように、本発明に係る印刷制御装置および印刷制御方法は、放送コンテンツの提供側がコンテンツの印刷可否等を制御する印刷システムに有用であり、特にデジタル放送において印刷が制限されている場合に、インターネット等のネットワークを利用してユーザが希望する印刷を可能とする印刷システムに有用である。
【図面の簡単な説明】
図１は、実施の形態１におけるデジタル放送印刷システムの機能構成を示すブロック図である。
図２は、実施の形態１におけるデジタル放送印刷システムが、印刷制御情報によって印刷制御を行なう場合に使用する階層的なテーブル情報の一例を示す図である。
図３は、図２における印刷制御情報に基づいて印刷制御を行なう場合の一例を示す図である。
図４は、１つのチャンネルにおける各番組のタイトルや放送日時等の情報を登録するためのＥＩＴの一例である。
図５は、１つの画面にテキストと映像とが同時に表示されている状態おいて、視聴者から印刷指示があった場合の印刷例を示す図である。
図６は、マルチ画面が表示されている状態おいて、視聴者から印刷指示があった場合の印刷例を示す図である。
図７は、画面に映像が表示されている状態おいて、視聴者から番組連動コンテンツに対して印刷指示があった場合の印刷例を示す図である。
図８は、画面全体を印刷不可にする場合のＢＭＬの例である。
図９は、コンテンツの一部に対して印刷制御を行なう場合のＢＭＬの例である。
図１０は、トップページのボディ部分において、ファイル毎に印刷制御を行なう場合のＢＭＬの例である。
図１１は、トップページのＢＭＬに定義された印刷制御情報に基づいてブラウザの動作制御を行なう場合の一例である。
図１２は、トップページのボディ部分に定義された印刷制御情報に基づいてブラウザの動作制御を行なう場合の一例である。
図１３は、実施の形態１におけるデジタル放送印刷システムの全体における処理の流れを示すフローチャートである。
図１４は、実施の形態２におけるデジタル放送印刷システムの機能構成を示すブロック図である。
図１５は、個別印刷許可情報に基づいて印刷制御を行なう場合の一例を示す図である。
図１６は、実施の形態２におけるデジタル放送印刷システムの全体における処理の流れを示すフローチャートである。
図１７は、実施の形態３におけるデジタル放送印刷システムが、印刷制御情報や代替ＵＲＬによって印刷制御を行なう場合に使用する階層的なテーブル情報の一例を示す図である。
図１８は、実施の形態３において、ユーザがネットワークを介して希望するコンテンツの印刷を行なう場合における制御部の処理の流れを示すフローチャートである。
図１９（ａ）は、実施の形態３において、表示装置に表示される、ユーザによって指示されたコンテンツについて印刷ができない旨を表わす画面例である。
図１９（ｂ）は、実施の形態３において、表示装置に表示される、ユーザによって指示された代替ＵＲＬをブックマークに登録した旨を表わす画面例である。
図１９（ｃ）は、実施の形態３において、表示装置に表示される、ユーザに通信系画面に切り替えてよいか否かの指示を受け付けるための画面例である。
図１９（ｄ）は、実施の形態３において、表示装置に表示される、印刷コンテンツ販売サイトに接続した場合のユーザからの印刷指示を受け付けるための画面例である。
図２０は、実施の形態３におけるブックマーク画面の表示例である。
【図１】
2003084222.tif 000003
【図２】
2003084222.tif 000004
【図３】
2003084222.tif 000005
【図４】
2003084222.tif 000006
【図５】
2003084222.tif 000007
【図６】
2003084222.tif 000008
【図７】
2003084222.tif 000009
【図８】
2003084222.tif 000010
【図９】
2003084222.tif 000011
【図１０】
2003084222.tif 000012
【図１１】
2003084222.tif 000013
【図１２】
2003084222.tif 000014
【図１３】
2003084222.tif 000015
【図１４】
2003084222.tif 000016
【図１５】
2003084222.tif 000017
【図１６】
2003084222.tif 000018
【図１７】
2003084222.tif 000019
【図１８】
2003084222.tif 000020
【図１９】
2003084222.tif 000021
【図２０】
2003084222.tif 000022
【国際調査報告】
2003084222.tif 000023
2003084222.tif 000024
2003084222.tif 000025
2003084222.tif 000026